(57)【特許請求の範囲】
【請求項１】
無線通信を確立した端末を識別する識別情報を表示する表示手段と、
前記表示手段により表示された識別情報を指定する操作と印刷データの印刷を指示する操作とを含む一連の操作を受付ける操作受付手段と、
前記操作受付手段が受付けた操作により指定された識別情報に対応する前記端末から印刷データを受信する受信手段と、
前記受信手段が受信した印刷データを印刷する印刷手段と、
を有し、
前記表示手段は、無線通信を確立した複数の端末について、各端末を識別する識別情報をそれぞれ表示し、
前記操作受付手段は、前記表示手段により表示された識別情報のうちいずれかを指定する操作と印刷データの印刷を指示する操作とを含む一連の操作を受付ける画像形成装置。
【請求項２】
前記表示手段は、無線通信を確立した端末ごとに異なる色の画像を識別情報として表示する請求項１記載の画像形成装置。
【請求項３】
前記操作受付手段は、さらに、前記表示手段による表示がなされる画面の表示領域内の位置を示す位置情報を指定する操作を受付け、
前記表示手段は、前記操作受付手段が受付けた操作により指定された位置情報に基づく表示領域内の位置に前記識別情報を表示する請求項１又は２記載の画像形成装置。
【請求項４】
操作者の情報と該操作者が無線通信に用いる端末の情報とを関連付けて記憶する記憶手段と、
前記記憶手段が記憶する情報に基づいて、無線通信を要求する端末を認証し通信を確立する無線通信部と、
をさらに有する請求項１乃至３いずれか記載の画像形成装置。
【請求項５】
端末と、
画像形成装置と、
を有し、
前記画像形成装置は、
無線通信を確立した前記端末を識別する識別情報を表示する表示手段と、
前記表示手段により表示された識別情報を指定する操作と印刷データの印刷を指示する操作とを含む一連の操作を受付ける操作受付手段と、
前記操作受付手段が受付けた操作により指定された識別情報に対応する前記端末から印刷データを受信する受信手段と、
前記受信手段が受信した印刷データを印刷する印刷手段と、
を有し、
前記表示手段は、無線通信を確立した複数の前記端末について、各前記端末を識別する識別情報をそれぞれ表示し、
前記操作受付手段は、前記表示手段により表示された識別情報のうちいずれかを指定する操作と印刷データの印刷を指示する操作とを含む一連の操作を受付ける画像形成システム。
【請求項６】
前記端末は、
無線通信手段と、
印刷データを印刷する要求する操作を受付ける印刷要求受付手段と、
前記印刷要求手段が受付けた印刷対象の印刷データを前記無線通信手段により送信する送信手段と、
を有する請求項５記載の画像形成システム。
【請求項７】
無線通信を確立した端末を識別する識別情報を表示する表示ステップと、
表示された識別情報を指定する操作と印刷データの印刷を指示する操作とを含む一連の操作を受付ける操作受付ステップと、
受付けた操作により指定された識別情報に対応する前記端末から印刷データを受信する受信ステップと、
受信した印刷データを印刷する印刷ステップと、
をコンピュータに実行させ、
前記表示ステップは、無線通信を確立した複数の前記端末について、各前記端末を識別する識別情報をそれぞれ表示するステップであって、
前記操作受付ステップは、前記表示ステップにより表示された識別情報のうちいずれかを指定する操作と印刷データの印刷を指示する操作とを含む一連の操作を受付けるステップであるプログラム。
【発明の詳細な説明】
【技術分野】
【０００１】
本発明は、画像形成装置、送信装置、画像形成システム及びプログラムに関する。
【背景技術】
【０００２】
携帯端末の文書を印刷装置で印刷するための技術として、着脱可能な記憶装置を用いて携帯端末から印刷装置に文書を移動し、印刷することが行なわれている。
【０００３】
また、特許文献１は、ネットワーク、特に無線通信方式により文書を転送して印刷する方法として、携帯電話のプリント命令ボタンを押圧することより、指定したデータを指定したデータ出力装置で出力することを指示して印刷を開始させることについて開示している。
【先行技術文献】
【特許文献】
【０００４】
【特許文献１】特開２００２−１６９６７１号公報
【発明の概要】
【発明が解決しようとする課題】
【０００５】
本発明の目的は、無線通信が確立された端末と装置との間でデータを送受信する際に、装置と送受信先の端末との対応関係を特定し送受信を行うことが容易にできる画像形成装置、送信装置、画像形成システム及びプログラムを提供することである。
【課題を解決するための手段】
【０００６】
［画像形成装置］
請求項１に係る本発明は、無線通信を確立した端末を識別する識別情報を表示する表示手段と、前記表示手段により表示された識別情報を指定する操作と印刷データの印刷を指示する操作とを含む一連の操作を受付ける操作受付手段と、前記操作受付手段が受付けた操作により指定された識別情報に対応する前記端末から印刷データを受信する受信手段と、前記受信手段が受信した印刷データを印刷する印刷手段とを有する画像形成装置である。
【０００７】
請求項２に係る本発明は、前記表示手段は、無線通信を確立した複数の端末について、各端末を識別する識別情報をそれぞれ表示し、前記操作受付手段は、前記表示手段により表示された識別情報のうちいずれかを指定する操作と印刷データの印刷を指示する操作とを含む一連の操作を受付ける請求項１記載の画像形成装置である。
【０００８】
請求項３に係る本発明は、前記表示手段は、無線通信を確立した端末ごとに異なる色の画像を識別情報として表示する請求項２記載の画像形成装置である。
【０００９】
請求項４に係る本発明は、前記操作受付手段は、さらに、表示手段による表示がなされる画面の表示領域内の位置を示す位置情報を指定する操作を受付け、前記表示手段は、前記操作受付手段が受付けた操作により指定された位置情報に基づく表示領域内の位置に前記識別情報を表示する請求項１乃至３記載の画像形成装置である。
【００１０】
請求項５に係る本発明は、操作者の情報と該操作者が無線通信に用いる端末の情報とを関連付けて記憶する記憶手段と、前記記憶手段が記憶する情報に基づいて、無線通信を要求する端末を認証し通信を確立する無線通信部とをさらに有する請求項１乃至４記載の画像形成装置である。
【００１１】
［送信装置］
請求項６に係る本発明は、無線通信を確立した複数の端末を識別する識別情報をそれぞれ表示する表示手段と、前記表示手段により表示された識別情報のうちいずれかを指定する操作とデータの送信を指示する操作とを含む一連の操作を受付ける操作受付手段と、前記操作受付手段が受付けた操作により指定された識別情報に対応する前記端末へデータを送信する送信手段とを有する送信装置である。
【００１２】
請求項７に係る本発明は、画像を読み取る画像読取手段をさらに有し、前記送信手段は、前記画像読取手段が読み取った画像データを送信する請求項６記載の送信装置である。
【００１３】
［画像形成システム］
請求項８に係る本発明は、無線通信手段と、印刷データを印刷する要求する操作を受付ける印刷要求受付手段と、前記印刷要求手段が受付けた印刷対象の印刷データを前記無線通信手段により送信する送信手段とを有する端末と、無線通信を確立した前記端末を識別する識別情報を表示する表示手段と、前記表示手段により表示された識別情報を指定する操作と印刷データの印刷を指示する操作とを含む一連の操作を受付ける操作受付手段と、前記操作受付手段が受付けた操作により指定された識別情報に対応する前記端末から印刷データを受信する受信手段と、前記受信手段が受信した印刷データを印刷する印刷手段とを有する画像形成装置とを備えた画像形成システムである。
【００１４】
［プログラム］
請求項９に係る本発明は、無線通信を確立した端末を識別する識別情報を表示するステップと、表示された識別情報を指定する操作と印刷データの印刷を指示する操作とを含む一連の操作を受付けるステップと、受付けた操作により指定された識別情報に対応する前記端末から印刷データを受信するステップと、受信した印刷データを印刷するステップとをコンピュータに実行させるプログラムである。
【発明の効果】
【００１５】
請求項１に係る本発明によれば、本構成を有していない場合と比べ、無線通信が確立された端末の印刷データを画像形成装置により印刷する際に、画像形成装置と送信元である端末との対応関係を特定して印刷データの受信及び印刷をすることが容易にできる画像形成装置を提供することができる。
【００１６】
請求項２に係る本発明によれば、請求項１に係る発明の効果に加え、本構成を有していない場合と比べ、ユーザが、容易に、無線通信が確立された端末のうち所望の端末の印刷データを印刷することができる画像形成装置を提供することができる。
【００１７】
請求項３に係る本発明によれば、請求項２に係る本発明の効果に加え、本構成を有していない場合と比べ、視覚的な操作性を備えた画像形成装置を提供することができる。
【００１８】
請求項４に係る本発明によれば、請求項１乃至３に係る本発明の効果に加え、本構成を有していない場合と比べ、ユーザの操作における手間を軽減することができる画像形成装置を提供することができる。
【００１９】
請求項５に係る本発明によれば、請求項１乃至４に係る本発明の効果に加え、不正な接続要求に対して無線通信を確立してしまうことを防ぐことができる画像形成装置を提供することができる。
【００２０】
請求項６に係る本発明によれば、本構成を有していない場合と比べ、無線通信が確立された端末へデータを送信する際に、送信先となる端末と送信装置との対応関係を特定してデータ送信を行うことが容易にできる送信装置を提供することができる。
【００２１】
請求項７に係る本発明によれば、請求項６に係る本発明の効果に加え、本構成を有していない場合と比べ、無線通信が確立された端末へ読み取った画像データを送信する際に、送信先となる端末と送信元である画像送信装置との対応関係を特定してデータ送信することが容易にできる画像送信装置を提供することができる。
【００２２】
請求項８に係る本発明によれば、本構成を有していない場合と比べ、無線通信が確立された端末の印刷データを画像形成装置により印刷する際に、画像形成装置と印刷データの送信元である端末との対応関係を特定して印刷データの送受信及び印刷をすることが容易にできる画像形成システムを提供することができる。
【００２３】
請求項９に係る本発明によれば、本構成を有していない場合と比べ、無線通信が確立された端末の印刷データを装置により印刷する際に、自装置と印刷データの送信元である端末との対応関係を容易に特定して印刷データの受信及び印刷をすることが容易にできるプログラムを提供することができる。
【図面の簡単な説明】
【００２４】
【図１】本発明の第１実施形態に係る情報処理システム２を示す模式図である。
【図２】本発明の第１実施形態に係る情報処理システム２を構成する画像形成装置６を示す断面図である。
【図３】画像形成装置６のハードウェア構成を示すブロック図である。
【図４】本発明の第１実施形態に係る情報処理システム２を構成する端末８のハードウェア構成を示す模式図である。
【図５】端末８において動作するプログラム８２の機能構成を示すブロック図である。
【図６】印刷画面表示部８８が表示する印刷要求受付画面の一例を示す平面図である。
【図７】画像形成装置６において動作するプログラム１０６の機能構成を示すブロック図である。
【図８】ユーザインタフェース装置１２に表示される画面とユーザの操作とを示す模式図である。
【図９】印刷対象のデータが印刷されるまでの端末８における動作を示したフローチャートである。
【図１０】印刷対象のデータが印刷されるまでの画像形成装置６における動作を示したフローチャートである。
【図１１】画像形成装置６及び端末８における動作の関係を示すタイムチャートである。
【図１２】図１１に示すタイムチャートにおいて、端末８Ａを携帯するユーザが画像形成装置６Ａのユーザインタフェース装置１２に対し操作する様子を示す模式図である。
【図１３】本発明の第２実施形態に係る端末８において動作するプログラム１４４の機能構成を示すブロック図である。
【図１４】本発明の第２実施形態に係る画像形成装置６において動作するプログラム１５８の機能構成を示すブロック図である。
【図１５】本発明の第２実施形態に係る画像形成装置６及び端末８における動作の関係について一例を示すタイムチャートである。
【発明を実施するための形態】
【００２５】
以下、本発明の実施形態について図面を参照して詳細に説明する。
図１は、本発明の第１実施形態に係る情報処理システム２を示す模式図である。図１に示すように情報処理システム２は、無線ＬＡＮのアクセスポイント（基地局）４、複数の画像形成装置６、及び複数の端末８から構成されている。
【００２６】
ただし、図１では、画像形成装置６は、それぞれネットワーク１０にアクセスポイント４を介して無線接続する構成を示しているが、複数の画像形成装置６の全部又は一部がネットワーク１０と有線接続されていてもよい。また、画像形成装置６又は端末８の接続台数は複数でなくてもよい。
【００２７】
アクセスポイント４は、無線通信の基地局として機能し、画像形成装置６及び端末８間の無線接続を中継する。また、アクセスポイント４は、ネットワーク１０と接続されており、ネットワーク１０に無線接続する端末８又は画像形成装置６との接続を中継する。
【００２８】
図２は、画像形成装置６を示す断面図である。
画像形成装置６は、ユーザインタフェース装置１２、印刷装置１４、画像読取装置１６、及び通信装置１８を有している。
【００２９】
ユーザインタフェース装置１２は、画像形成装置６と一体に、又は通信回線を介して設けられる。また、ユーザインタフェース装置１２は、例えばタッチパネルなどとして構成され、情報を表示し、又は、操作者によってなされる表示領域内の位置の指定を受付ける。
【００３０】
印刷装置１４は、例えば３段の記録媒体供給カセット２０を有し、これら記録媒体供給カセット２０のそれぞれには供給ヘッド２２が設けられている。
【００３１】
記録媒体供給カセット２０の一つが選択されると、供給ヘッド２２が作動して選択された記録媒体供給カセット２０から記録媒体供給路２４を介して画像形成機構部２６に供給される。
【００３２】
画像形成機構部２６は、イエロー、マゼンタ、シアン及びブラックの各感光体２８が併設されていると共に、中間転写ベルト３０が設けられている。
【００３３】
各感光体２８の周囲には、帯電装置、露光装置、現像装置、一次転写装置及びクリーニング装置など（図示せず）が配置され、各感光体２８に形成されたトナー像が中間転写ベルト３０に転写される。白黒設定された場合は、ブラックのみが作動可能であるようにされる。
【００３４】
中間転写ベルト３０のトナー像は、二次転写ロール３２により、送られてきた記録媒体に転写され、定着装置３４により定着され、このトナー像が定着された記録媒体が記録媒体排出路３６を通って排出部３８に排出される。
【００３５】
ただし、両面印刷が設定された場合は、定着装置３４により表面が定着された記録媒体は、記録媒体排出路３６から反転装置４０に送られ、この反転装置４０で反転され、記録媒体反転路４２に送られ、再び記録媒体供給路２４に戻され、画像形成機構部２６に送られて裏面の印刷がなされる。
【００３６】
画像読取装置１６は、両面原稿の読み取りが可能な自動原稿送り装置４４を有し、この自動原稿送り装置４４により原稿はプラテン４６に送られ、このプラテン４６上でＣＣＤ等からなる読取部４８により原稿の画像が読み取られる。
【００３７】
自動原稿送り装置４４に原稿がセットされたか否かを検出する原稿セット検出器５０が設けられている。また、自動原稿送り装置４４はプラテンカバーを兼ねており、このプラテンカバーを開けることにより原稿をプラテン４６上に置くことができる。このプラテンカバーの開閉は、プラテンカバー開閉検出器５２により検出できるようになっている。
【００３８】
通信装置１８は、アクセスポイント４を介して、無線により接続し、端末８又はネットワーク１０と通信する装置である。なお、通信装置１８は、ネットワーク１０と有線で接続されてもよい。画像形成装置６は、通信装置１８を用い、無線接続が確立された端末８から送信された印刷データを印刷する。また、画像形成装置６は、通信装置１８を用い、無線接続が確立された端末８に対し、画像読取装置１６によって読み取られた画像データを送信する。
【００３９】
また、画像形成装置６は、公衆回線へ接続された図示しないモデムが設けられており、ファクス機能（図示せず）を有してもよい。
【００４０】
図３は、画像形成装置６のハードウェア構成を示すブロック図である。
【００４１】
図３に示すように、画像形成装置６は、ユーザインタフェース装置１２、ＣＰＵ５４、メモリ５６、入出力インタフェース５８、スキャンインタフェース６０、プリントインタフェース６２、通信インタフェース６４、モデムインタフェース６６、及び記憶装置６８がバス接続された構成となっており、画像形成装置６は、端末８及びネットワーク１０との通信が可能なコンピュータとしての構成部分を有している。
【００４２】
ＣＰＵ５４は、メモリ５６又は記憶装置６８に書き込まれた後述するプログラムを実行することにより、各回路を制御する。ユーザインタフェース装置１２を介して受け付けられた入力はＣＰＵ５４に伝達され、ＣＰＵ５４からの表示情報がユーザインタフェース装置１２に伝達するようにしてある。
【００４３】
なお、ＣＰＵ５４は、ＣＤＲＯＭ等の記憶媒体に格納されたプログラムを実行してもよく、又は通信インタフェース６４を介して提供されるプログラムを実行してもよい。
【００４４】
入出力インタフェース５８には、図２の原稿セット検出器５０からの原稿セット検出信号と、図２のプラテンカバー開閉検出器５２からのプラテンカバー開閉信号が入力される。
【００４５】
スキャンインタフェース６０は、図２の画像読取装置１６に接続され、プリントインタフェース６２は、図２の印刷装置１４に接続されている。
【００４６】
通信インタフェース６４は、通信装置１８に接続され、モデムインタフェース６６は、画像形成装置６に設けられたモデムに接続されている。
【００４７】
また、バスには記憶装置６８が接続されており、例えば、端末８から送信された画像又は画像読取装置１６により読み取られた画像などを、画像形成装置６に設けられた記憶装置６８に記憶することができる。
【００４８】
次に、端末８について説明する。図４は、端末８のハードウェア構成を示す模式図である。
【００４９】
図４に示すように、端末８は、ＣＰＵ７０、メモリ７２、記憶装置７４、ユーザインタフェース装置７６、及び通信装置７８から構成され、端末８は、画像形成装置６及びネットワーク１０との通信が可能なコンピュータとしての構成部分を有している。なお、本実施形態では、端末８は、携帯性を備えており、ユーザによって携帯される携帯端末であり、例えば携帯電話、スマートフォン、ＰＤＡなどが該当する。
【００５０】
ＣＰＵ７０は、メモリ７２に記憶された後述するプログラムに基づく処理を実行する。記憶装置７４は、内蔵ＨＤＤなどであり、例えば、画像データなどを記憶する。なお、ＣＰＵ７０は、記憶装置７４に記憶されたプログラムを実行してもよい。
【００５１】
また、ＣＰＵ７０は、ＣＤＲＯＭ等の記憶媒体８０に格納されたプログラムを実行してもよく、又は通信装置７８を介して提供されるプログラムを実行してもよい。
【００５２】
ユーザインタフェース装置７６は、例えばタッチパネルなどとして構成され、情報を表示し、又は、操作者によってなされる入力操作（例えば、表示領域内の位置の指定）を受付ける。
【００５３】
通信装置７８は、アクセスポイント４を介して、無線により接続し、画像形成装置６又はネットワーク１０と通信する装置である。なお、端末８が携帯電話としての機能を備える場合、通信装置７８は、さらに、公衆回線に無線により接続する。端末８は、通信装置７８を用い、画像形成装置６との無線接続を確立し、例えば記憶装置７４に記憶された印刷データを画像形成装置６に送信する。また、端末８は、通信装置７８を用い、画像形成装置６との無線接続を確立し、画像形成装置６から送信された画像データを受信する。
【００５４】
以上から構成される情報処理システム２における印刷処理について説明する。
【００５５】
図５は、端末８において動作するプログラム８２の機能構成を示すブロック図である。
【００５６】
プログラム８２は、無線通信部８４、認証制御部８６、印刷画面表示部８８、印刷要求操作受付部９０、確認操作受付部９２、データ送信部９４から構成される。
【００５７】
無線通信部８４は、通信装置７８を用いて無線によりデータの通信を行なう。具体的には、無線通信部８４は、アクセスポイント４を介して、無線通信が確立された画像形成装置６との間でデータ通信を行なう。
【００５８】
また、無線通信部８４は、ネットワーク１０上に存在する端末８等を検索するための検索情報を含んだブロードキャスト送信を画像形成装置６から受信した場合、及び画像形成装置６からの後述する認証結果を受信した場合、認証制御部８６に対し、受信した情報を通知する。また、無線通信部８４は、無線通信を確立した画像形成装置６から印刷データを要求する旨の通知を受信した場合、後述する印刷画面表示部８８に通知する。
【００５９】
認証制御部８６は、画像形成装置６との間で、無線通信を確立する。具体的には、画像形成装置６からのブロードキャスト送信があった旨の通知を無線通信部８４より受けると、認証制御部８６は、ブロードキャスト送信に含まれる検索情報を解析し、ブロードキャスト送信を行なった画像形成装置６に対し無線通信確立の認証を要求する。例えば、認証制御部８６は、ユーザ名などの操作者の情報とＩＤなどの端末８についての情報とを画像形成装置６に送信し、認証を要求する。また、当該画像形成装置６より、無線通信確立を許可する旨の認証結果を無線通信部８４より受けると、当該画像形成装置６との間に無線通信を確立し、識別情報を無線通信部８４を介して当該画像形成装置６へと送付する。
【００６０】
ここで、識別情報とは、画像形成装置６との無線接続が確立された端末８を識別する情報であり、例えば、ＩＤ等の端末８に固有の情報、無線接続が確立された端末８ごとに予め定められた色情報が該当する。
【００６１】
また、画像形成装置６との間に無線通信を確立後、認証制御部８６は、定期的に、当該画像形成装置６との通信状態が維持されているか否かを確認する。例えば、端末８を携帯するユーザがアクセスポイント４の通信可能範囲外へと移動した場合には、認証制御部によって、確立されていた無線通信が切断されたことが確認される。
【００６２】
印刷画面表示部８８は、印刷対象のデータを画像形成装置６によって印刷するための画面をユーザインタフェース装置７６に表示する。具体的には、印刷画面表示部８８は、印刷対象のデータを画像形成装置６に対し印刷する要求をユーザから受け付ける画面（以下、印刷要求受付画面という）、及びユーザが印刷要求を行なった印刷データの印刷を実行してもよいか否について確認する画面（以下、印刷確認画面という）を表示する。なお、本実施形態では、印刷画面表示部８８は、無線通信部８４から印刷データを要求する旨の通知を受けた場合、印刷確認画面を表示する。
【００６３】
印刷要求操作受付部９０は、印刷対象のデータの印刷を要求する操作を受け付ける。本実施形態では、印刷要求操作受付部９０は、印刷対象のデータを示した画像が、ユーザにより指定された状態で、この画像の表示位置を予め定められた位置まで移動させる操作（ドラッグ操作）を印刷要求操作として受け付ける。
【００６４】
図６を参照して、印刷要求操作受付部９０が受け付ける操作について説明する。
図６は、印刷画面表示部８８が表示する印刷要求受付画面の一例を示す平面図である。なお、図６では、ユーザが、Ｆｉｌｅ１というファイル名の印刷データについてドラッグ操作をする例について説明する。
【００６５】
図６に示した例では、タッチパネルとして構成されているユーザインタフェース装置７６の表示画面上に、印刷対象のデータファイル（Ｆｉｌｅ１）を示すファイル画像９８が表示されている。また、図６において、周縁表示領域１００（ハッチング部分）は、ユーザインタフェース装置７６の表示画面内における周縁から予め定められた距離までの表示領域を示している。さらに、識別情報画像１０２は、識別情報を示す画像である。
【００６６】
なお、図６に示した識別情報画像１０２は、識別情報として色情報を用いた場合の識別情報画像である。この場合、例えば、当該端末８に色情報として予め黄色が設定されていたときは、識別情報画像１０２として、黄色の画像が表示される。
【００６７】
図６に示されるように、ユーザがファイル画像９８を指定した状態で図６中の矢印１０４に沿ってドラッグ操作を行ない周縁表示領域１００までファイル画像９８を移動させた場合、印刷要求操作受付部９０は、印刷データ（Ｆｉｌｅ１）について印刷を要求する操作と判断し、印刷要求操作として受け付ける。
【００６８】
印刷要求操作受付部９０は、印刷要求操作を受け付けた場合、データ送信部９４に対し、印刷要求がなされた印刷データを通知する。
【００６９】
なお、図６に示した例では、印刷要求操作受付部９０は、ファイル画像９８が周縁表示領域１００まで移動された場合に印刷要求として受け付けるとしたが、識別情報画像１０２上まで移動された場合に印刷要求として受け付けてもよい。また、ドラッグ操作によりなされた印刷要求を受け付ける例を説明したが、印刷要求操作受付部９０は、印刷対象の印刷データの指定及び当該印刷データの印刷を要求したい旨の指示を受け付ければよく、例えば、ユーザによる釦等の操作によってなされた印刷要求操作を受け付けてもよい。
【００７０】
また、図６に示した例では、印刷画面表示部８８が、印刷対象のデータとして１つのファイル画像９８を表示する例を示したが、印刷画面表示部８８は、複数のデータに対し、それぞれのデータを示すファイル画像を表示してもよい。この場合、印刷要求操作受付部９０は、複数のデータのうち、ユーザにより指定されドラッグ操作されたデータについて印刷要求操作を受け付ける。
【００７１】
確認操作受付部９２は、印刷要求を行なった印刷対象のデータの印刷を実行してもよいか否について、ユーザからの指示を受け付ける。具体的には、印刷画面表示部８８によって表示された、印刷要求を行なった印刷データの印刷を実行してもよいか否について確認する画面に対し、ユーザから印刷対象のデータの印刷を実行してもよい旨の指示の操作（以下、確認操作という）を受け付ける。確認操作受付部９２は、確認操作を受け付けた場合、確認操作を受け付けた旨をデータ送信部９４に通知する。
【００７２】
データ送信部９４は、無線通信が確立された画像形成装置６に対し、印刷データを示す画像データの送信及び印刷データの送信を行なう。
【００７３】
データ送信部９４は、印刷要求操作受付部９０から印刷要求がなされた印刷データの通知を受けた場合、当該印刷データを示す画像（例えば、図６に示すファイル画像９８）のデータを画像形成装置６に送信する。なお、画像のデータは、例えば記憶装置７４に記憶されており、データ送信部９４は、記憶装置７４から画像データを読み出して、送信を行なう。
【００７４】
また、データ送信部９４は、確認操作受付部９２から確認操作を受け付けた旨の通知を受けた場合、印刷要求がなされた印刷データを画像形成装置６に送信する。なお、印刷データは、例えば記憶装置７４に記憶されており、データ送信部９４は、記憶装置７４から印刷データを読み出して、送信を行なう。
【００７５】
次に、画像形成装置６において動作するプログラム１０６について説明する。
図７は、プログラム１０６の機能構成を示すブロック図である。
【００７６】
プログラム１０６は、無線通信部１０８、印刷画面表示部１１０、識別情報取得部１１２、識別情報表示部１１４、ファイル画像取得部１１６、ドラッグ画像表示制御部１１８、識別情報指定操作受付部１２０、印刷指示操作受付部１２２、データ受信部１２４、及び印刷制御部１２６から構成される。
【００７７】
無線通信部１０８は、端末８における無線通信部８４と同様であり、通信装置１８を用いて無線によりデータの通信を行なう。具体的には、無線通信部１０８は、アクセスポイント４を介して、無線通信が確立された端末８との間でデータ通信を行なう。
【００７８】
また、無線通信部１０８は、ネットワーク１０上に存在する端末８などの機器を検索するための検索情報を生成し、ブロードキャスト送信する。さらに、無線通信部１０８は、このブロードキャスト送信に対し、端末８などから認証の要求を受けると、認証要求元が不正でないか否かの認証を行ない、認証結果を認証要求元に対して回答する。例えば、無線通信部１０８は、操作者の情報と無線接続する端末の情報とを対応付けたテーブルを記憶装置６８に記憶しておき、端末８から送信された操作者の情報及び端末の情報がテーブルに存在すれば、不正な認証要求元ではないとして認証結果を回答し無線通信を確立する。
【００７９】
印刷画面表示部１１０は、無線通信が確立された端末８のうち、いずれの端末からのデータを印刷するかを識別するための画面をユーザインタフェース装置１２に表示する。本実施形態では、印刷画面表示部１１０は、後述する識別情報画像表示領域及び印刷操作受付画像などをタッチパネルとして構成されたユーザインタフェース装置１２に表示する。
【００８０】
識別情報取得部１１２は、無線通信部１０８を介して、端末８から送付された識別情報を取得し、取得した識別情報を送付元の端末８と関連づけて記憶装置６８に記憶する。また、識別情報表示部１１４に識別情報を出力する。
【００８１】
識別情報表示部１１４は、識別情報取得部１１２から出力された識別情報を示す画像（識別情報画像）を、印刷画面表示部１１０が表示した識別情報画像表示領域内に表示する。
【００８２】
ファイル画像取得部１１６は、無線通信部１０８を介して、端末８から送付されたファイル画像を取得し、取得したファイル画像を送付元の端末８と関連づけて記憶装置６８に記憶する。
【００８３】
ドラッグ画像表示制御部１１８は、印刷画面表示部１１０によって表示された画面に対するユーザの操作に応じて、ファイル画像を表示する制御を行なう。
【００８４】
具体的には、ドラッグ画像表示制御部１１８は、ユーザインタフェース装置１２から表示画面領域における位置情報を受け付けると、受け付けた位置情報に対応する表示画面領域内の位置に、ファイル画像を表示する。本実施形態では、ドラッグ画像表示制御部１１８は、ユーザが表示画面領域内を触れる操作（タッチ操作）を行なった場合に、触れた位置（タッチ位置）を位置情報として受け付け、このタッチ位置に仮ファイル画像を表示する。
【００８５】
ここで、仮ファイル画像とは、印刷対象のデータが特定されるまでの間、仮のファイル画像として表示するための予め定められた画像をいう。
【００８６】
また、ドラッグ画像表示制御部１１８は、ユーザインタフェース装置１２から入力される連続した位置情報に応じ、上記表示した仮ファイル画像の表示位置を移動させる。本実施形態では、ドラッグ画像表示制御部１１８は、タッチ操作後にユーザがタッチ位置を移動させる操作（ドラッグ操作）を行なった場合に、ドラッグ操作に応じて仮ファイル画像の表示位置を移動させる。
【００８７】
ただし、本実施形態では、後述する識別情報指定操作受付部１２０から識別情報の指定が通知された場合、ドラッグ画像表示制御部１１８は、指定された識別情報に関連付けられたファイル画像を記憶装置６８から読み出し、仮ファイル画像から当該ファイル画像へと表示する画像を変更する。この場合、ドラッグ画像表示制御部１１８は、変更されたファイル画像の表示位置をドラッグ操作に応じて移動させる。
【００８８】
識別情報指定操作受付部１２０は、識別情報表示部１１４が表示した識別情報の中からいずれかの識別情報を指定する操作を受け付け、指定された識別情報をドラッグ画像表示制御部１１８及び後述する印刷指示操作受付部１２２に通知する。
【００８９】
本実施形態では、識別情報指定操作受付部１２０は、ユーザによる上記ドラッグ操作が、識別情報表示部１１４が表示した識別情報画像の表示位置を通過した場合、通過された識別情報画像に対応する識別情報が指定されたものとして受け付ける。
【００９０】
印刷指示操作受付部１２２は、印刷対象のデータの印刷の実行を指示する操作を受付け、データ受信部１２４に対し、識別情報指定操作受付部１２０から通知された識別情報を通知するとともにデータの取得を指示する。
【００９１】
本実施形態では、印刷指示操作受付部１２２は、印刷画面表示部１１０が表示する予め定められた画像（後述する図８で示す印刷操作受付画像１３２）上で、ユーザによる上記ドラッグ操作が終了した（ドロップ操作が行なわれた）場合に、印刷の実行を指示する操作として受け付ける。
【００９２】
このように、識別情報指定操作受付部１２０及び印刷指示操作受付部１２２は、上述のドラッグ・アンド・ドロップ操作のように、ユーザによる一連の操作について、識別情報を指定する操作及び印刷を指示する操作を受付ける。なお、さらに他の操作を含む一連の操作から、識別情報を指定する操作及び印刷を指示する操作を受付けてもよい。
【００９３】
データ受信部１２４は、無線通信部１０８を介して端末８から印刷対象のデータを受信し、受信したデータを印刷制御部１２６に出力する。本実施形態では、データ受信部１２４は、印刷指示操作受付部１２２から識別情報についての通知を受けた場合に、当該識別情報に対応する端末に対し印刷対象のデータの送付を通知して、端末からデータを取得する。
【００９４】
印刷制御部１２６は、データ受信部１２４によって入力された印刷対象のデータの印刷処理を印刷装置１４によって行なうよう制御する。
【００９５】
次に、ユーザによる操作に対するユーザインタフェース装置１２における表示について説明する。
図８は、ユーザインタフェース装置１２に表示される画面とユーザの操作とを示す模式図である。
【００９６】
図８に示すように、ユーザインタフェース装置１２の画面には、印刷画面表示部１１０によって表示された識別情報画像表示領域１３０及び印刷操作受付画像１３２、識別情報表示部１１４によって識別情報画像表示領域１３０内に表示された識別情報画像１３４，１３６がある。ここで、ユーザが、タッチ位置１３８におけるタッチ操作、図中の矢印に沿ったドラッグ操作、及び印刷操作受付画像１３２の位置でのドロップ操作からなる一連の操作を行なう場合について考える。なお、図８に示した例では、識別情報画像表示領域１３０内に識別情報画像１３４及び１３６が表示されていることからわかるように、２つの端末８が無線通信を確立している状態を示す。また、図８に示した例では、識別情報画像１３４と識別情報画像１３６とは相互に異なる色の画像である。
【００９７】
ユーザが、タッチ操作を行なうと、ドラッグ画像表示制御部１１８の制御により、タッチ位置１３８に仮ファイル画像１４０が表示される。ユーザが、識別情報画像１３４上をドラッグ操作すると、仮ファイル画像１４０はファイル画像１４２に表示が変更される。さらにドラッグ操作がなされ、印刷操作受付画像１３２上でドロップ操作を行なうと、印刷指示操作受付部１２２は、識別情報画像１３４に対応する印刷対象のデータについての印刷を実行する旨の操作として受け付ける。
【００９８】
次に、端末８からの印刷対象データが、画像形成装置６により印刷されるまでの動作を端末８におけるフローチャートと画像形成装置６におけるフローチャートとを用いて説明する。
図９は、印刷対象のデータが印刷されるまでの端末８における動作を示したフローチャートである。
【００９９】
ステップ１００（Ｓ１００）において、無線通信部８４は、画像形成装置６からのブロードキャスト送信を受信し、認証制御部８６に通知する。
【０１００】
ステップ１０２（Ｓ１０２）において、認証制御部８６は、ブロードキャスト送信を行なった画像形成装置６に対して、無線通信確立の認証を要求する。
【０１０１】
ステップ１０４（Ｓ１０４）において、無線通信部８４は、画像形成装置６から認証結果を受信し、認証制御部８６に通知する。
【０１０２】
ステップ１０６（Ｓ１０６）において、認証制御部８６は、画像形成装置６との間に無線通信を確立し、識別情報を送信する。
【０１０３】
ステップ１０８（Ｓ１０８）において、印刷画面表示部８８は、印刷要求受付画面を表示する。
【０１０４】
ステップ１１０（Ｓ１１０）において、印刷要求操作受付部９０が、印刷を要求する操作を受付けていない場合は、ステップ１１２に移行し、受け付けた場合は、データ送信部９４に対し印刷要求がなされた印刷データを通知し、ステップ１１４へ移行する。
【０１０５】
ステップ１１２（Ｓ１１２）において、認証制御部８６は、無線通信が確立された画像形成装置６との間の通信が維持されているか否かを確認する。無線通信が確立されたままであれば、ステップ１１０に移行し、無線通信が切断されている場合には初期状態に移行する。
【０１０６】
ステップ１１４（Ｓ１１４）において、データ送信部９４は、印刷データを示す画像を画像形成装置６に送信する。
【０１０７】
ステップ１１６（Ｓ１１６）において、無線通信部８４は、画像形成装置６からデータの送信要求があった場合に、その旨を印刷画面表示部８８に通知し、ステップ１１８へ移行する。
【０１０８】
ステップ１１８（Ｓ１１８）において、印刷画面表示部８８は、印刷確認画面を表示する。
【０１０９】
ステップ１２０（Ｓ１２０）において、確認操作受付部９２が、確認操作を受付けていない場合は、ステップ１１０に戻り、受け付けた場合は、データ送信部９４に対し確認操作を受付けた旨を通知し、ステップ１２２へ移行する。
【０１１０】
ステップ１２２（Ｓ１２２）において、データ送信部９４は、印刷対象のデータを画像形成装置６に送信し、ステップ１１０に戻る。
【０１１１】
図１０は、印刷対象のデータが印刷されるまでの画像形成装置６における動作を示したフローチャートである。
【０１１２】
ステップ２００（Ｓ２００）において、無線通信部１０８は、ネットワーク１０上に存在する端末８を検索するための検索情報を生成し、ブロードキャスト送信をする。
【０１１３】
ステップ２０２（Ｓ２０２）において、無線通信部１０８は、端末８から認証の要求を受けると、認証要求元の端末８との通信を認証し、ステップ２０４へ移行する。
【０１１４】
ステップ２０４（Ｓ２０４）において、無線通信部１０８は、認証結果を端末８に送信する。
【０１１５】
ステップ２０６（Ｓ２０６）において、識別情報取得部１１２は、端末８から識別情報を取得する。
【０１１６】
ステップ２０８（Ｓ２０８）において、識別情報表示部１１４は、ステップ２０６で取得した識別情報に対応する識別情報画像を、印刷画面表示部１１０が表示した識別情報画像表示領域内に表示する。
【０１１７】
ステップ２１０（Ｓ２１０）において、ファイル画像取得部１１６が、ファイル画像を端末８から受信した場合、ステップ２１２へ移行する。
【０１１８】
ステップ２１２（Ｓ２１２）において、ファイル画像取得部１１６は、受信したファイル画像のデータを送信元の端末８と関連付けて記憶装置６８に記憶する。
【０１１９】
ステップ２１４（Ｓ２１４）において、ユーザによるタッチ操作が行なわれていない場合は、ステップ２１６に移行し、タッチ操作が行なわれた場合は、ステップ２２０へ移行する。
【０１２０】
ステップ２１６（Ｓ２１６）において、無線通信部１０８は、無線通信が確立された端末８との間の通信が維持されているか否かを確認する。無線通信が確立されたままであれば、ステップ２１４に移行し、ステップ２１８に移行する。
【０１２１】
ステップ２１８（Ｓ２１８）において、識別情報表示部１１４は、無線通信が切断された端末８に対応する識別情報の表示を削除し、ステップ２００に戻る。
【０１２２】
ステップ２２０（Ｓ２２０）において、ドラッグ画像表示制御部１１８は、タッチ位置に仮ファイル画像を表示するよう制御する。
【０１２３】
ステップ２２２（Ｓ２２２）において、識別情報指定操作受付部１２０が識別情報を指定する操作を受け付けた場合、識別情報指定操作受付部１２０は、指定された識別情報をドラッグ画像表示制御部１１８及び印刷指示操作受付部１２２に通知しステップ２２４へ移行する。
【０１２４】
ステップ２２４（Ｓ２２４）において、ドラッグ画像表示制御部１１８は、印刷指示操作受付部１２２から通知された識別情報に基づいて、仮ファイル画像による表示からファイル画像による表示へと変更する。
【０１２５】
ステップ２２６（Ｓ２２６）において、印刷指示操作受付部１２２が印刷を実行する操作を受け付けた場合、データ受信部１２４に対し、識別情報を通知し、印刷対象のデータを取得するよう指示する。
【０１２６】
ステップ２２８（Ｓ２２８）において、データ受信部１２４は、端末８に印刷対象のデータを要求し、印刷対象のデータを端末８から取得する。
【０１２７】
ステップ２３０（Ｓ２３０）において、印刷制御部１２６は、印刷装置１４によりステップ２２８で取得した印刷対象のデータを印刷し、ステップ２１４に戻る。
【０１２８】
以上が画像形成装置６における動作を示したフローチャートとなるが、ステップ２２０において、タッチ位置に仮ファイル画像を表示する際、識別情報画像の表示位置及び印刷操作受付画像をタッチ位置に基づいて移動させてもよい。例えば、タッチ位置の近傍（タッチ位置から予め定めた範囲内の位置）に識別情報画像及び印刷操作受付画像の表示位置を変更させるよう制御してもよい。これによりユーザがすべきドラッグ操作の距離が短縮される。
【０１２９】
次に、以上説明した動作のフローについて、画像形成装置６と端末８との関係を説明する。
図１１は、画像形成装置６及び端末８における動作の関係を示すタイムチャートである。図１１に示した例では、ネットワーク１０に画像形成装置６Ａ及び画像形成装置６Ｂが接続しており、端末８Ａを携帯するユーザ及び端末８Ｂを携帯するユーザが、無線通信を確立する場合のタイムチャートを一例として示している。
【０１３０】
また、図１１に示したタイムチャートでは、端末８Ａを携帯するユーザ及び端末８Ｂを携帯するユーザがともに印刷を要求する操作を行なっている状況において、端末８Ａを携帯するユーザが、端末８Ａから送信した印刷対象のデータを画像形成装置６Ａによって印刷する場合について示している。
【０１３１】
図１１において、×印は、端末８Ａを携帯するユーザ又は端末８Ｂを携帯するユーザが、アクセスポイント４の通信可能範囲内に入った時点を示している。なお、図１１では、説明のため、図９又は図１０で示したフローチャートの一部の動作について抜粋して記載しており、図９又は図１０で示したフローチャートと対応する動作について、同じステップ番号を付している。
【０１３２】
以下、タイムチャートに沿って、画像形成装置６Ａ，６Ｂ及び端末８Ａ，８Ｂの動作について説明する。
【０１３３】
画像形成装置６Ａ，６Ｂは、それぞれ、ネットワーク上の端末を検索すべくブロードキャスト送信を行なう（Ｓ２００）。これに対し、アクセスポイント４の通信可能範囲内の端末８Ａは、画像形成装置６Ａ，６Ｂに対して認証要求を行なう（Ｓ１０２）。画像形成装置６Ａ，６Ｂは、それぞれ端末８Ａに対し認証結果を回答し（Ｓ２０４）、端末８Ａは、画像形成装置６Ａ，６Ｂそれぞれに対して識別情報を送信する（Ｓ１０６）。画像形成装置６Ａ，６Ｂは、受信した識別情報に基づいて、識別情報画像を表示する（Ｓ２０８）。なお、以上の動作について、以降の説明において、前処理ステップということがある。
【０１３４】
一方、アクセスポイント４の通信可能範囲内に入った端末８Ｂについても、上記と同様、前処理ステップの動作が画像形成装置６Ａ及び６Ｂとの間で行なわれる。
【０１３５】
ここで、端末８Ａを携帯するユーザ及び端末８Ｂを携帯するユーザがともに印刷を要求する操作をそれぞれの端末で行なっている状況を考える。端末８Ａを携帯するユーザ及び端末８Ｂを携帯するユーザそれぞれが、印刷要求操作を行なうと（Ｓ１１０）、端末８Ａ及び端末８Ｂのそれぞれからファイル画像が画像形成装置６Ａ及び６Ｂに送信される（Ｓ１１４）。
【０１３６】
端末８Ａを携帯するユーザが、画像形成装置６Ａで印刷を行なうべく、画像形成装置６Ａでタッチ操作をすると仮ファイル画像がタッチ位置に表示され（Ｓ２１４）、ドラッグ操作により識別情報が指定（Ｓ２２４）されると、仮ファイル画像の表示からファイル画像の表示へと変更される（Ｓ２２８）。
【０１３７】
図１２は、図１１に示すタイムチャートにおいて、端末８Ａを携帯するユーザが画像形成装置６Ａのユーザインタフェース装置１２に対し操作する様子を示す模式図である。図１２に示すように、画像形成装置６Ａ及び６Ｂには、無線通信が確立されている端末８Ａ及び端末８Ｂの識別情報画像がそれぞれ表示されている。なお、図１２に示した例では、識別情報として端末のＩＤを用いており、画像形成装置６Ａ及び６Ｂのユーザインタフェース装置１２にはＩＤに基づく識別情報画像が表示されている。
【０１３８】
図１２に示すように、端末８Ａを携帯するユーザは、画像形成装置６Ａにより印刷を実行したい場合、印刷を実行する画像形成装置の選択に際し、画像形成装置６Ａのアドレス等を指定しないで済み、画像形成装置６Ａのユーザインタフェース装置１２に対し、タッチ操作を行なうだけでよい。
【０１３９】
また、画像形成装置６Ａでは、端末８Ａに対応する識別情報画像上でのドラッグ操作がユーザにより行なわれ、端末８Ａに対応する識別情報指定操作を受付ける。これにより、画像形成装置６Ａは、無線通信が確立されている端末のうち端末８Ａからの印刷データについて印刷すべきことを識別する。
【０１４０】
端末８Ａを携帯するユーザが、印刷操作受付画像上で、ドロップ操作を行なうことにより、画像形成装置６Ａから端末８Ａに対し印刷対象のデータの要求がなされ（Ｓ２２８）、端末８Ａから画像形成装置６Ａに対して印刷対象のデータが送信され（Ｓ１２２）、画像形成装置６Ａにて印刷が行なわれる（Ｓ２３０）。
【０１４１】
ここで、印刷対象のデータの送信（Ｓ１２２）に先立って、端末８Ａでは印刷確認画面が表示され（図９：ステップ１１８）、ユーザからの確認操作が受付けられない限り、印刷対象のデータの送信は行なわれず（図９：ステップ１２０）、印刷も行なわれない。
【０１４２】
例えば、端末８Ａを携帯するユーザが、ドラッグ操作の際に、端末８Ｂに対応する識別情報画像上でのドラッグ操作し、画像形成装置６Ａにおいて端末８Ｂに対応する識別情報の指定として受付けられたとしても、印刷確認画面が表示された端末８Ｂのユーザが、確認操作を行わなければ、誤った印刷、すなわち端末８Ａを携帯するユーザによる画像形成装置６Ａに対する操作によって、端末８Ｂからのデータが誤って印刷されることはない。
【０１４３】
なお、上述のとおり、本実施形態では、確認操作受付部９２により確認操作を受付ける例を示したが、確認操作受付部９２を設けず、画像形成装置から印刷対象のデータの送信要求を受けた場合には、確認操作を経ずにデータを送信してもよい。また、データ送信部９４によりファイル画像を送信し、ファイル画像取得部１１６がファイル画像を取得する構成を示したが、ファイル画像の送受信を行なう構成を備えなくてもよい。
【０１４４】
次に、本発明の第２実施形態について説明する。
第１実施形態では、端末８から送信した印刷データを画像形成装置６により印刷する実施形態について示した。第２実施形態では、送信機能を有する送信装置からデータを無線通信が確立された端末に送信する実施形態を示す。
【０１４５】
画像形成装置６は、通信装置１８により無線通信が確立した端末８に対して画像読取装置１６により読み取られた画像データを送信する画像送信装置としての機能も有しており、以下の説明では、画像形成装置６の画像読取装置１６により読み取られた画像データを端末８へ送信する例について説明する。
【０１４６】
図１３は、端末８において動作する第２実施形態に係るプログラム１４４の機能構成を示すブロック図である。
【０１４７】
プログラム１４４は、無線通信部８４、認証制御部８６、受信画面表示部１４６、ファイル画像取得部１４８、ドラッグ画像表示制御部１５０、受信操作受付部１５２、及びデータ受信部１５４から構成される。なお、無線通信部８４及び認証制御部８６は、第１実施形態におけるプログラム８２と同様の構成であり、説明を割愛する。
【０１４８】
受信画面表示部１４６は、画像形成装置６により読み取られた画像データを受信するための画面をユーザインタフェース装置７６に表示する。具体的には、受信画面表示部１４６は、画像形成装置６により読み取られた画像データを受信する操作を受付けるための画面を表示する。
【０１４９】
ファイル画像取得部１４８は、無線通信部８４を介して、画像形成装置６から送信されたファイル画像を取得し、取得したファイル画像をドラッグ画像表示制御部１５０に出力する。
【０１５０】
ドラッグ画像表示制御部１５０は、受信画面表示部１４６によって表示された画面に対するユーザの操作に応じて、ファイル画像を表示する制御を行なう。
【０１５１】
具体的には、ユーザインタフェース装置７６の表示画面領域内においてユーザのタッチ操作が行なわれると、タッチ位置にファイル画像取得部１４８から出力されたファイル画像を表示する。ドラッグ画像表示制御部１５０は、ユーザインタフェース装置７６に対してユーザがなしたドラッグ操作に応じ、上記表示したファイル画像の表示位置を移動させる。
【０１５２】
受信操作受付部１５２は、画像形成装置６により読み取られた画像データを受信する操作を受付ける。本実施形態では、受信操作受付部１５２は、受信画面表示部１４６が表示した格納先フォルダのうちいずれかのフォルダにドロップ操作がなされた場合、画像データを受信して当該フォルダへ格納する受信操作として受付ける。なお、ここでいうドロップ操作とは、ドラッグ画像表示制御部１５０によるファイル画像の表示がなされた状態において、ドラッグ操作によりファイル画像が移動されて、フォルダ上でドロップ操作がなされることをさす。
【０１５３】
また、受信操作受付部１５２は、受信操作を受付けると、データ受信部１５４に対し、格納先フォルダを通知するとともにデータの受信を指示する。
【０１５４】
データ受信部１５４は、画像形成装置６から画像データを受信し、受信した画像データを記憶装置７４に記憶する。本実施形態では、データ受信部１５４は、受信操作受付部１５２からデータ受信の指示を受けた場合、画像形成装置６に対しデータの送信を要求し、画像形成装置６から送信された画像データを受信操作受付部１５２により指定された格納先フォルダに格納して記憶装置７４に記憶する。
【０１５５】
次に、画像形成装置６において動作するプログラム１５８について説明する。
図１４は、プログラム１５８の機能構成を示すブロック図である。図１４に示すように、プログラム１５８は、読取画像取得部１６０、無線通信部１０８、送信画面表示部１６２、識別情報取得部１６４、識別情報表示部１６６、ドラッグ画像表示制御部１６８、識別情報指定操作受付部１７０、送信指示操作受付部１７２、ファイル画像送信部１７４、データ送信部１７６から構成される。なお、無線通信部１０８は、第１実施形態と同様の構成であり、説明を割愛する。
【０１５６】
読取画像取得部１６０は、画像読取装置１６により読み取られた画像データを取得し、取得した画像データを記憶装置６８に記憶する。また、読み取られた画像データを示すファイル画像を作成し、後述するドラッグ画像表示制御部１６８に出力する。
【０１５７】
送信画面表示部１６２は、無線通信が確立された端末８のうちいずれの端末に対して、画像データを送信するかについて識別するための画面をユーザインタフェース装置１２に表示する。
【０１５８】
識別情報取得部１６４は、第１実施形態における識別情報取得部１１２と同様の構成であり、識別情報を端末８から取得する。
【０１５９】
識別情報表示部１６６も、第１実施形態における識別情報表示部１１４と同様の構成であり、識別情報取得部１６４が取得した識別情報を送信画面表示部１６２が表示した画面に識別情報画像として表示する。
【０１６０】
ドラッグ画像表示制御部１６８は、読取画像取得部１６０が出力したファイル画像を送信画面表示部１６２が表示した画面に表示し、ユーザの操作に応じてファイル画像の表示を制御する。また、本実施形態では、ドラッグ画像表示制御部１６８は、表示したファイル画像に対してユーザがタッチ操作を行なった場合、ファイル画像送信部１７４にタッチ操作が行なわれたファイル画像を出力する。さらに、ドラッグ画像表示制御部１６８は、タッチ操作が行なわれたファイル画像についてドラッグ操作が行なわれた場合、ドラッグ操作に応じてファイル画像の表示位置を移動させる制御を行なう。
【０１６１】
識別情報指定操作受付部１７０は、第１実施形態と同様の構成であり、識別情報表示部１６６が表示した識別情報の中からいずれかの識別情報を指定する操作を受付け、指定された識別情報を送信指示操作受付部１７２に通知する。本実施形態では、識別情報指定操作受付部１７０は、ユーザによるドラッグ操作が、識別情報画像の表示位置を通過した場合、通過された識別情報画像に対応する識別情報が指定されたものとして受け付ける。
【０１６２】
送信指示操作受付部１７２は、画像データの送信の実行を指示する操作を受付け、ファイル画像送信部１７４及びデータ送信部１７６に対し、送信対象の画像データ及び識別情報指定操作受付部１７０から通知された識別情報を通知する。
【０１６３】
本実施形態では、第１実施形態の端末８の印刷要求操作受付部９０と同様、ユーザによるドラッグ操作が、識別情報画像上を通過後、ユーザインタフェース装置１２における表示画面内における周縁から予め定められた距離までの表示領域（周縁表示領域）まで行なわれた場合、送信指示操作受付部１７２は、画像データの送信の実行を指示する操作として受付ける。
【０１６４】
このように、識別情報指定操作受付部１７０及び送信指示操作受付部１７２は、上述のドラッグ操作のように、ユーザによる一連の操作について、識別情報を指定する操作及び送信を指示する操作を受付ける。なお、一連の操作として、さらに他の操作を含んでもよい。
【０１６５】
ファイル画像送信部１７４は、送信対象のファイルに対応するファイル画像を端末８へ送信する。本実施形態では、ファイル画像送信部１７４は、送信指示操作受付部１７２から通知された識別情報に対応する端末８に対し、ドラッグ画像表示制御部１６８が出力したファイル画像を送信する。
【０１６６】
データ送信部１７６は、識別情報指定操作受付部１７０により送信先として識別された端末８に対し、送信指示操作受付部１７２から通知された画像データを記憶装置６８から読み出して送信する。本実施形態では、データ送信部１７６は、端末８からデータの送信要求を受けた後にデータを端末８に送信する。
【０１６７】
次に、上述のプログラムに基づく動作について、第２実施形態における画像形成装置６と端末８との関係を説明する。
【０１６８】
図１５は、第２実施形態に係る画像形成装置６及び端末８における動作の関係について一例を示すタイムチャートである。図１５に示した例では、ネットワーク１０に画像形成装置６が接続しており、端末８Ａを携帯するユーザ及び端末８Ｂを携帯するユーザが、無線通信を確立する場合のタイムチャートを一例として示している。なお、図１１に示したように画像形成装置は複数接続されていてもよい。
【０１６９】
図１５に示したタイムチャートでは、端末８Ａを携帯するユーザが画像形成装置６により画像を読取り、読み取った画像データを端末８Ａに送信する場合について示している。なお、図１１と同様、図１５中の×印は、端末８Ａを携帯するユーザ又は端末８Ｂを携帯するユーザが、アクセスポイント４の通信可能範囲内に入った時点を示している。
【０１７０】
以下、タイムチャートに沿って、画像形成装置６及び端末８Ａ，８Ｂの動作について説明する。
【０１７１】
ステップ４００（Ｓ４００）において、第１実施形態と同様、端末８Ａについての前処理ステップの処理が行なわれる。
【０１７２】
具体的には、画像形成装置６における無線通信部１０８がネットワーク上の端末を検索すべくブロードキャスト送信を行ない、これに対し、端末８Ａにおける認証制御部８６が画像形成装置６に対して認証要求を行なう。画像形成装置６における無線通信部１０８は、端末８Ａに対し認証結果を回答し、端末８Ａにおける認証制御部８６は無線通信を確立し、画像形成装置６へ識別情報を送信する。画像形成装置６における識別情報取得部１６４が識別情報を取得すると、識別情報表示部１６６は、送信画面表示部１６２が表示した画面に識別情報を表示する。
【０１７３】
ステップ４０２（Ｓ４０２）において、ステップ４００と同様に、端末８Ｂについて、前処理ステップが行なわれる。
【０１７４】
ステップ４０４（Ｓ４０４）において、画像形成装置６における読取画像取得部１６０が、画像読取装置１６により読み取られた画像データを取得し、画像データを記憶装置６８に記憶する。また、画像データのファイル画像をドラッグ画像表示制御部１６８に出力する。なお、読取画像取得部１６０は、画像読取装置１６により読み取られた複数の画像データを取得してもよい。
【０１７５】
ステップ４０６（Ｓ４０６）において、画像形成装置６におけるドラッグ画像表示制御部１６８は、ファイル画像を送信画面表示部１６２が表示した画面に表示する。
【０１７６】
ステップ４０８（Ｓ４０８）において、画像形成装置６におけるドラッグ画像表示制御部１６８は、ユーザによるタッチ操作により指定されたファイル画像をファイル画像送信部１７４に出力する。また、識別情報指定操作受付部１７０は、識別情報を指定する操作を受付け、送信指示操作受付部１７２に指定された識別情報を通知する。
【０１７７】
ステップ４１０（Ｓ４１０）において、画像形成装置６における送信指示操作受付部１７２は、送信を実行する旨の操作を受付け、ファイル画像送信部１７４及びデータ送信部１７６に対し、送信対象の画像データ及び識別情報指定操作受付部１７０から通知された識別情報を通知する。
【０１７８】
ステップ４１２（Ｓ４１２）において、画像形成装置６におけるファイル画像送信部１７４は、指定された識別情報に対応する端末である端末８Ａにファイル画像を送信する。
【０１７９】
ステップ４１４（Ｓ４１４）において、端末８Ａにおけるファイル画像取得部１４８が、ステップ４１２により送信されたファイル画像を取得し、ドラッグ画像表示制御部１５０が、取得されたファイル画像を受信画面表示部１４６が表示した画面上に、ユーザの操作に応じて表示する。
【０１８０】
ステップ４１６（Ｓ４１６）において、端末８Ａにおける受信操作受付部１５２は、画像データを受信する操作を受付け、データ受信部１５４に対して格納先フォルダ及びデータの受信指示を通知する。
【０１８１】
ステップ４１８（Ｓ４１８）において、端末８Ａにおけるデータ受信部１５４は、画像形成装置６に対しデータの送信を要求する。
【０１８２】
ステップ４２０（Ｓ４２０）において、画像形成装置６におけるデータ送信部１７６は、端末８Ａに対して画像データを送信する。
【０１８３】
ステップ４２２（Ｓ４２２）において、端末８Ａにおけるデータ受信部１５４は、ステップ４２０で送信された画像データを受信し、記憶装置７４の格納先フォルダに画像データを記憶する。
【０１８４】
以上、第１実施形態及び第２実施形態として、端末８から送信した印刷データを画像形成装置６により印刷する実施形態と、画像形成装置６からのデータを端末８へ送信する実施形態について説明したが、両実施形態を合わせて実現してもよい。また、無線ＬＡＮのアクセスポイント４を介してデータの送受信を行なう構成に限らず、端末８が画像形成装置６との間で無線通信を行なう構成であればよい。
【符号の説明】
【０１８５】
２            情報処理システム
４            アクセスポイント
６            画像形成装置
８            端末
８４          無線通信部
９０          印刷要求操作受付部
９４          データ送信部
１０８        無線通信部
１１２        識別情報取得部
１１４        識別情報表示部
１２０        識別情報指定操作受付部
１２２        印刷操作受付部
１２４        データ受信部
１２６        印刷制御部
１５２        受信操作受付部
１５４        データ受信部
１６０        読取画像取得部
１６４        識別情報取得部
１６６        識別情報表示部
１７０        識別情報指定操作受付部
１７２        送信操作受付部
１７６        データ送信部
【図１】
0005861821.tif 000002
【図２】
0005861821.tif 000003
【図３】
0005861821.tif 000004
【図４】
0005861821.tif 000005
【図５】
0005861821.tif 000006
【図６】
0005861821.tif 000007
【図７】
0005861821.tif 000008
【図８】
0005861821.tif 000009
【図９】
0005861821.tif 000010
【図１０】
0005861821.tif 000011
【図１１】
0005861821.tif 000012
【図１２】
0005861821.tif 000013
【図１３】
0005861821.tif 000014
【図１４】
0005861821.tif 000015
【図１５】
0005861821.tif 000016